(57)【要約】【課題】使い勝手の低下を抑止しつつ、様々な機能を提供する。【解決手段】無線通信装置は、表示部と、表示部に表示される操作用画像に対する操作を検出する操作検出部と、無線通信回線を介した音声通話に用いられる音声通話情報と、無線通信回線を介したデータ通信に用いられる通信情報とを、本体装置との間において送受信するタブレット通信部と、タブレット制御部とを備えるタブレット装置と、タブレット装置が装着された場合に、装着されたタブレット装置を保持する保持部と、音声通話情報及び通信情報の少なくとも一方の情報を、タブレット通信部との間において送受信する本体通信部と、本体制御部と、取得した音声情報を本体制御部に供給するとともに、本体制御部から供給される情報に基づく音を出力する受話器とを備える本体装置と、無線基地局との間において無線通信回線を介した音声通話及びデータ通信を行う無線通信モジュールとを備える。【選択図】図１
2016178509.tif 000002
【特許請求の範囲】
【請求項１】
本体装置と、前記本体装置と通信するタブレット装置とを備え、
前記タブレット装置は、
画像を表示する表示部と、
前記表示部に表示される操作用画像に対する操作を検出する操作検出部と、
無線通信回線を介した音声通話に用いられる音声通話情報と、前記無線通信回線を介したデータ通信に用いられる通信情報とを、前記本体装置との間において送受信するタブレット通信部と、
自装置の各部を制御するタブレット制御部と、
を備え、
前記本体装置は、
前記タブレット装置が装着された場合に、装着された前記タブレット装置を保持する保持部と、
前記音声通話情報及び前記通信情報の少なくとも一方の情報を、前記タブレット通信部との間において送受信する本体通信部と、
自装置の各部を制御する本体制御部と、
取得した音声情報を前記本体制御部に供給するとともに、前記本体制御部から供給される情報に基づく音を出力する受話器と、
を備え、
前記タブレット装置と、前記本体装置との少なくとも一方が、無線基地局との間において前記無線通信回線を介した前記音声通話及び前記データ通信を行う無線通信モジュールを備える無線通信装置。
【請求項２】
前記タブレット装置は、
前記受話器による前記無線通信回線を介した音声通話中において、前記無線通信回線を介した前記データ通信を行う
請求項１に記載の無線通信装置。
【請求項３】
前記本体装置は、
前記受話器を保持する受話器保持部と、
前記受話器が前記受話器保持部に保持されているか否かを検出する受話器保持検出部と、
を備える請求項１又は請求項２に記載の無線通信装置。
【請求項４】
前記本体装置は、
前記受話器保持検出部が検出する前記受話器のオンフック又はオフフックの検出結果を示すフック情報を、前記本体通信部及び前記タブレット通信部を介して前記タブレット装置に供給し、
前記タブレット制御部は、
前記本体装置から供給される前記フック情報に基づいて、前記タブレット装置の動作を切り換える
請求項３に記載の無線通信装置。
【請求項５】
前記タブレット装置が前記保持部に保持されているか否かを検出するタブレット保持検出部
を備え、
前記タブレット制御部は、
前記タブレット保持検出部の検出結果を示す保持情報に基づいて、前記タブレット装置の動作を切り換える
請求項１から請求項４のいずれか一項に記載の無線通信装置。
【発明の詳細な説明】
【技術分野】
【０００１】
本発明の実施形態は、無線通信装置に関する。
【背景技術】
【０００２】
従来、本体から取り外し可能な操作表示部を備える据置型電話機が知られている（例えば、特許文献１を参照）。
【先行技術文献】
【特許文献】
【０００３】
【特許文献１】特開平１０−３２２４４２号公報
【発明の概要】
【発明が解決しようとする課題】
【０００４】
この従来の据置型電話機においては、この操作表示部が液晶画面付きのタッチパネルを備えている場合がある。この場合、従来の据置型電話機においては、通話などの操作を、このタッチパネルによって行うことがある。しかしながら、この従来のタッチパネル操作式の据置型電話機では、タッチパネルの操作に慣れていないと、使い勝手が悪いという問題があった。一方で、電話機がタッチパネルを備えていれば、通話開始時に電話帳を表示する機能を提供したり、ネットワークを介した情報検索機能を提供することができる。
【０００５】
本発明は、使い勝手の低下を抑止しつつ、様々な機能を提供することができる無線通信装置を提供することを目的とする。
【課題を解決するための手段】
【０００６】
本発明の一実施形態は、本体装置と、前記本体装置と通信するタブレット装置とを備え、前記タブレット装置は、画像を表示する表示部と、前記表示部に表示される操作用画像に対する操作を検出する操作検出部と、無線通信回線を介した音声通話に用いられる音声通話情報と、前記無線通信回線を介したデータ通信に用いられる通信情報とを、前記本体装置との間において送受信するタブレット通信部と、自装置の各部を制御するタブレット制御部と、を備え、前記本体装置は、前記タブレット装置が装着された場合に、装着された前記タブレット装置を保持する保持部と、前記音声通話情報及び前記通信情報の少なくとも一方の情報を、前記タブレット通信部との間において送受信する本体通信部と、自装置の各部を制御する本体制御部と、取得した音声情報を前記本体制御部に供給するとともに、前記本体制御部から供給される情報に基づく音を出力する受話器と、を備え、前記タブレット装置と、前記本体装置との少なくとも一方が、無線基地局との間において前記無線通信回線を介した前記音声通話及び前記データ通信を行う無線通信モジュールを備える無線通信装置である。
【０００７】
また、本発明の一実施形態の無線通信装置において、前記タブレット装置は、前記受話器による前記無線通信回線を介した音声通話中において、前記無線通信回線を介した前記データ通信を行う。
【０００８】
また、本発明の一実施形態の無線通信装置において、前記本体装置は、前記受話器を保持する受話器保持部と、前記受話器が前記受話器保持部に保持されているか否かを検出する受話器保持検出部とをさらに備える。
【０００９】
また、本発明の一実施形態の無線通信装置において、前記本体装置は、前記受話器保持検出部が検出する前記受話器のオンフック又はオフフックの検出結果を示すフック情報を、前記本体通信部及び前記タブレット通信部を介して前記タブレット装置に供給し、前記タブレット制御部は、前記本体装置から供給される前記フック情報に基づいて、前記タブレット装置の動作を切り換える。
【００１０】
また、本発明の一実施形態の無線通信装置において、前記タブレット装置が前記保持部に保持されているか否かを検出するタブレット保持検出部をさらに備え、前記タブレット制御部は、前記タブレット保持検出部の検出結果を示す保持情報に基づいて、前記タブレット装置の動作を切り換える。
【発明の効果】
【００１１】
本発明によれば、使い勝手の低下を抑止しつつ、様々な機能を提供することができる無線通信装置を提供することができる。
【図面の簡単な説明】
【００１２】
【図１】本実施形態の無線通信装置の外観構成の一例を示す模式図である。
【図２】本実施形態の無線通信装置の機能構成の一例を示すブロック図である。
【図３】本実施形態の無線通信装置による処理の流れの一例を示す流れ図である。
【図４】本実施形態の無線通信装置によるモード判定処理の流れの一例を示す流れ図である。
【図５】本実施形態の表示部に表示される電話メニュー画像及びホーム画像の具体例を示す模式図である。
【図６】本実施形態の無線通信装置による音声通話処理の流れの一例を示す流れ図である。
【図７】本実施形態の無線通信装置によるデータ通信処理の流れの一例を示す流れ図である。
【図８】本実施形態の無線通信装置の画面制御の流れの一例を示す流れ図である。
【図９】本実施形態の表示部に装着モードにおいて表示される画像の一例を示す模式図である。
【図１０】本実施形態の表示部に非装着モードにおいて表示される画像の一例を示す模式図である。
【発明を実施するための形態】
【００１３】
［実施形態］
以下、図を参照して無線通信装置１の実施形態について説明する。
図１は、本実施形態の無線通信装置１の外観構成の一例を示す模式図である。本実施形態の無線通信装置１は、他の通信装置２との間における音声通話機能及びデータ通信機能を提供する。ここでいう他の通信装置２とは、例えば、固定電話、携帯電話、スマートフォンである。本実施形態の無線通信装置１は、本体装置１０と、タブレット装置２０とを備えている。これら本体装置１０と、タブレット装置２０とのいずれか一方、または両方に、無線通信モジュール２０５が備えられている。無線通信装置１は、この無線通信モジュール２０５によって、無線基地局３及びネットワークＮを介して、他の通信装置２と接続される。
【００１４】
この無線通信モジュール２０５は、電話用の音声情報と、データ通信用の情報とを同一の回線で送受信可能な高速データ通信回線に接続が可能である。この高速データ通信回線とは、例えば、ＬＴＥ（Long Term Evolution）通信網である。この高速データ通信回線は、画像や文字などのデジタル情報の送受信に加えて、音声通話を可能にするサービス（ＶｏＬＴＥ；Voice over LTE）を提供する。すなわち、無線通信モジュール２０５は、無線基地局３との間において無線通信回線を介した音声通話及びデータ通信を行う。
【００１５】
この無線通信モジュール２０５には、無線通信モジュール２０５毎に固有の識別情報が付与されている。無線基地局３は、この識別情報と電話番号とを紐付けする。他の通信装置２は、この電話番号によって音声通話又はデータ通信の相手方を特定する。例えば、無線通信装置１を相手方として通信を行う場合、他の通信装置２は、無線通信モジュール２０５の識別情報に紐付けされた電話番号を使用して通信を開始する。なお、以下の説明においては、無線通信モジュール２０５の識別情報に紐付けされた電話番号を、単に、無線通信モジュール２０５の電話番号とも、無線通信装置１の電話番号とも記載する。
【００１６】
ここで、無線通信モジュール２０５の識別情報には、固定電話の電話番号が紐付けされている。具体的には、無線通信モジュール２０５の識別情報には、無線通信装置１が設置されている地域の市外局番から始まる電話番号が紐付けされている。例えば、無線通信装置１が東京２３区内の地域に設置されている場合には、無線通信モジュール２０５の識別情報には、“東京０３”から始まる電話番号が紐付けされている。したがって、他の通信装置２は、固定電話となんら変わらない手順によって、無線通信装置１に電話をかけることができる。つまり、無線通信装置１は、固定電話の使い勝手を踏襲しつつ、高速データ通信回線を使用した機能を提供することができる。
【００１７】
なお、無線通信装置１は、さらに子機３０を備えていてもよい。この子機３０は、ＤＥＣＴ（Digital Enhanced Cordless Telecommunications）などの規格に基づく無線通信によって本体装置１０と接続される。また、子機３０は、二次電池を備えており、子機充電スタンド３１に装着された状態において、充電される。この子機３０の詳細な説明は省略する。
【００１８】
［本体装置の構成］
次に、本体装置１０及びタブレット装置２０の構成の詳細について、図１及び図２を参照して説明する。まず、本体装置１０の構成の詳細について説明する。
図２は、本実施形態の無線通信装置１の機能構成の一例を示すブロック図である。本体装置１０は、保持部１０１と、本体制御部１０３と、本体通信部１０４と、本体記憶部１０６と、本体音出力部１０８と、タブレット保持検出部１０９と、受話器１１０と、受話器保持検出部１１１と、受話器保持部１１２とを備えている。この本体装置１０は、タブレット装置２０のクレードルとしての機能を有している。ここで、クレードルとは、装着された装置（ここでは、タブレット装置２０）を保持する保持機能、装着された装置を充電する充電機能、装着された装置との間において情報を授受する通信機能などを備える装置である。つまり、無線通信装置１の本体装置１０とタブレット装置２０とは、脱着が可能である。
【００１９】
保持部１０１は、タブレット装置２０が装着された場合に、装着されたタブレット装置２０を保持する。具体的には、保持部１０１は、タブレット装置２０の外形寸法に応じた保持部材（不図示）を備えている。この保持部材は、タブレット装置２０の筐体の一部、又は全部を保持する。また、保持部１０１は、タブレット装置２０を保持した状態において、タブレット装置２０が備える表示画面の一部、又は全部が視認可能な形状に設計されている。これにより、保持部１０１は、タブレット装置２０を保持した状態においても、無線通信装置１のユーザに対して、タブレット装置２０が表示する画像を提供することができる。
【００２０】
タブレット保持検出部１０９は、タブレット装置２０が保持部１０１に保持されているか否かを検出する。具体的には、タブレット保持検出部１０９は、タブレット装置２０が保持部１０１に装着されているか否かを検出するコンタクトスイッチ（不図示）を備えている。タブレット保持検出部１０９は、コンタクトスイッチが出力するＯＮ又はＯＦＦの信号を検出することにより、タブレット装置２０が保持部１０１に保持されているか否かを検出する。タブレット保持検出部１０９は、検出した結果を本体制御部１０３に出力する。
【００２１】
なお、ここでは、タブレット保持検出部１０９が機械式のスイッチによってタブレット装置２０が保持部１０１に保持されているか否かを検出する場合を一例にして説明したが、これに限られない。例えば、本体装置１０と、タブレット装置２０とが電気接点（不図示）を介して通信する場合がある。この場合には、タブレット保持検出部１０９は、この電気接点を介して、本体装置１０と、タブレット装置２０とが接続されているか否かに基づいて、タブレット装置２０が保持部１０１に保持されているか否かを検出してもよい。
【００２２】
また、ここでは、本体装置１０がタブレット保持検出部１０９を備えている場合を一例にして説明したが、これに限られない。タブレット装置２０が、タブレット保持検出部（不図示）を備えている構成であってもよい。
【００２３】
また、本体制御部１０３は、タブレット装置２０が保持部１０１に装着されたことが検出されると、本体装置１０とタブレット装置２０との間の通信のペアリングを行う。具体的には、本体制御部１０３は、タブレット保持検出部１０９がタブレット装置２０の保持を検出すると、タブレット装置２０に本体装置１０の識別情報を送信する。これにより、本体装置１０と、タブレット装置２０とがペアリングされる。
なお、ここでは、本体装置１０からタブレット装置２０に対して識別情報を送信する場合を一例にして説明したが、タブレット装置２０から本体装置１０に対して識別情報を送信してもよい。
また、本体制御部１０３は、タブレット装置２０が保持部１０１から取り外されたことが検出された場合に、本体装置１０とタブレット装置２０との間の通信のペアリングを行ってもよい。
【００２４】
本体制御部１０３は、ＣＰＵ（Central Processing Unit）を備えており、本体装置１０が備える各部を制御する。
本体記憶部１０６には、本体制御部１０３が使用する各種の情報が記憶される。
【００２５】
受話器１１０は、マイクとスピーカとを備えており、マイクによって取得した音声情報を本体制御部１０３に供給するとともに、本体制御部１０３から供給される情報に基づく音をスピーカから出力する。この受話器１１０は、無線通信モジュール２０５を介した音声通話に用いられるほか、音声認識によって無線通信装置１を操作する場合には、音声認識用の音を取得するマイクとしても用いられる。
【００２６】
この受話器１１０は、いわゆる固定電話の受話器と同様の外形を備える。具体的には、受話器１１０は、ユーザによって把持される把持部と、両端部とを備えている（いずれも不図示）。受話器１１０は、この両端部のうち、一方の端部にマイクを備え、他方の端部にスピーカを備える。また、この受話器１１０の把持部は、マイクをユーザの口元に近づけた場合に、スピーカがこのユーザの耳元に近づくような寸法により設計されている。したがって、本実施形態の無線通信装置１によれば、固定電話となんら変わらない操作によって、電話をかけることができる。つまり、無線通信装置１は、固定電話の使い勝手を踏襲しつつ、高速データ通信回線を使用した機能を提供することができる。
【００２７】
受話器保持部１１２は、受話器１１０を保持する。具体例を説明すると、受話器保持部１１２は、受話器１１０の外形寸法に応じた形状の窪みを、本体装置１０の一部に備えている。受話器保持部１１２は、この窪みに載置された受話器１１０が重力によって本体装置１０から脱落しないように、受話器１１０を保持する。
【００２８】
受話器保持検出部１１１は、受話器１１０が受話器保持部１１２に保持されているか否かを検出する。具体的には、受話器保持検出部１１１は、受話器検出フック（不図示）を備えている。この受話器検出フックは、受話器１１０が受話器保持部１１２に載置された場合に受話器１１０の筐体が接する位置に備えられている。受話器保持検出部１１１は、受話器検出フックが出力するＯＮ又はＯＦＦの信号を検出することにより、受話器１１０が受話器保持部１１２に保持されているか否かを検出する。受話器保持検出部１１１は、検出した信号を本体制御部１０３に出力する。
【００２９】
本体音出力部１０８は、スピーカを備えており、本体制御部１０３の制御に基づいて、音を出力する。この本体音出力部１０８が出力する音には、電話や電子メールの着信音が含まれる。
【００３０】
本体通信部１０４は、無線通信又は有線通信によって、タブレット装置２０と通信する。この一例では、タブレット装置２０が本体装置１０との無線通信機能を備えている場合について説明する。この場合、本体通信部１０４は、無線通信によってタブレット装置２０と通信する。この無線通信には、種々のプロトコルが適用可能である。
【００３１】
［タブレット装置の構成］
次に、タブレット装置２０の構成の詳細について説明する。タブレット装置２０は、上述した無線通信モジュール２０５に加え、表示部２０１と、操作検出部２０２と、タブレット制御部２０３と、タブレット通信部２０４と、タブレット記憶部２０６とを備えている。
【００３２】
タブレット制御部２０３は、ＣＰＵを備えており、タブレット装置２０が備える各部を制御する。
タブレット記憶部２０６には、タブレット制御部２０３が使用する各種の情報が記憶される。
【００３３】
表示部２０１は、液晶ディスプレイを備えており、文字や写真などの画像を表示する。この表示部２０１が表示する画像には、着信を待ち受けている場合に表示される電話メニュー画像ＰＴｍ、電話を発信する際に表示される電話帳画像ＰＴｄ、データ通信の操作メニューを示すホーム画像ＰＨｍ、音声通話中であることを示す通話中画像ＰＣｌが含まれる。この各種画像のうち、ホーム画像ＰＨｍの一例を図１に示す。ホーム画像ＰＨｍには、電話の発信、ＳＮＳ（Social Networking Service）用アプリケーションの起動、及びインターネット接続アプリケーションの起動の操作を受け付ける操作用画像が含まれる。また、ホーム画像ＰＨｍには、ニュース閲覧用アプリケーションの起動、地図閲覧用アプリケーションの起動、及びネットショッピング用アプリケーションの操作を受け付ける操作用画像が含まれる。以下の説明において、これらの操作用画像を、アイコン画像とも記載し、又は単にアイコンとも記載する。すなわち、ホーム画像ＰＨｍには、電話アイコンＰ１と、ＳＮＳアイコンＰ２と、インターネットアイコンＰ３とが含まれる。また、ホーム画像ＰＨｍには、ニュースアイコンＰ４と、地図アイコンＰ５と、ショッピングアイコンＰ６とが含まれる。
【００３４】
操作検出部２０２は、表示部２０１に表示される操作用画像に対する操作を検出する。具体的には、操作検出部２０２は、表示部２０１を覆う透明なタッチパネルセンサを備えており、ユーザの操作を検出する。
【００３５】
このユーザの操作には、様々な種類がある。操作の種類の一例には、タップ操作と、ドラッグ操作と、ピンチ操作とがある。
【００３６】
なお、ここでは、ユーザが、指によってタッチパネルセンサに触れることにより操作する場合を一例にして説明したが、これに限られない。例えば、ユーザは、指に代えて、操作用の指示棒などを用いて操作してもよい。
【００３７】
タブレット通信部２０４は、無線通信又は有線通信によって、本体装置１０の本体通信部１０４と通信する。この一例では、タブレット通信部２０４と本体通信部１０４とが、無線通信によって通信する場合について説明する。この無線通信によって送受信される情報には、音声通話情報と、通信情報とが含まれる。
音声通話情報とは、音声通話に用いられる情報である。より具体的には、この音声通話情報とは、無線通信装置１と他の通信装置２との間における、無線通信回線を介した音声通話に用いられる情報である。
通信情報とは、無線通信回線を介したデータ通信に用いられる情報である。より具体的には、通信情報とは、無線通信装置１と他の通信装置２との間における、無線通信回線を介したデータ通信に用いられる情報である。すなわち、タブレット通信部２０４は、無線通信回線を介した音声通話に用いられる音声通話情報と、無線通信回線を介したデータ通信に用いられる通信情報とを、本体装置１０との間において送受信する。
【００３８】
なお、このタブレット通信部２０４は、音声通話情報と、通信情報とのうち、音声通話情報を本体通信部１０４との間において送受信する構成であってもよい。すなわち、本体通信部１０４と、タブレット通信部２０４とは、音声通話情報及び通信情報の少なくとも一方の情報を送受信する構成であってもよい。このように構成することにより、無線通信装置１は、本体装置１０が音声通話機能を提供し、タブレット装置２０がデータ通信機能を提供するように機能を振り分けることができる。また、無線通信装置１は、本体装置１０が音声通話機能を提供し、タブレット装置２０が音声通話機能と、データ通信機能とを提供するように機能を振り分けることもできる。すなわち、無線通信装置１は、本体装置１０と、タブレット装置２０とにおいて、相互に異なる機能を提供することができる。これにより、無線通信装置１によれば、タッチパネル操作に慣れているユーザに対してはタブレット装置２０によって機能を提供し、タッチパネル操作に慣れていないユーザに対しては本体装置１０によって機能を提供することができる。すなわち、無線通信装置１によれば、ユーザの特性にあわせた機能を提供することができる。
【００３９】
ここで、タッチパネル操作に慣れていないユーザに対して、電話の発信や着信の操作をタッチパネルによって行わせるようにした場合には、ユーザの使い勝手が低下する場合がある。一方、無線通信装置１によれば、ユーザの特性にあわせた機能を提供することができるため、使い勝手の低下を抑止しつつ、様々な機能を提供することができる。
【００４０】
なお、タブレット装置２０は、音検出部２０７と、音出力部２０８とを備えていてもよい。
音検出部２０７は、マイクを備えており、このマイクによって取得した音声情報をタブレット制御部２０３に供給する。また、音出力部２０８は、スピーカを備えており、タブレット制御部２０３から供給される情報に基づく音を、このスピーカから出力する。タブレット装置２０は、これら音検出部２０７と、音出力部２０８とを備えることにより、音声通話や音声検索などの機能を提供することができる。
【００４１】
［無線通信装置の動作の一例］
次に、図３から図１０を参照して、無線通信装置１の動作の一例について説明する。
図３は、本実施形態の無線通信装置１による処理の流れの一例を示す流れ図である。無線通信装置１は、モード判定処理、音声通話処理、及びデータ通信処理を繰り返し実行する。なお、無線通信装置１は、ここに記載した、モード判定処理、音声通話処理、及びデータ通信処理以外の、その他の処理を実行してもよい。このその他の処理については説明を省略する。以下、無線通信装置１が実行する、モード判定処理、音声通話処理、及びデータ通信処理の具体例について、それぞれ説明する。
【００４２】
［モード判定（装着モード／非装着モード）］
モード判定処理とは、本体装置１０にタブレット装置２０が装着されているか否かを判定する処理である。以下の説明において、タブレット装置２０が本体装置１０に装着されている状態を、装着モードとも記載する。また、本体装置１０にタブレット装置２０が装着されていない状態を、非装着モードとも記載する。すなわち、モード判定処理とは、装着モードであるか、非装着モードであるかを、判定する処理である。本体装置１０とタブレット装置２０とのいずれが、モード判定処理を実行してもよい。この一例においては、タブレット装置２０が、モード判定処理を実行する場合について説明する。この場合、本体装置１０は、タブレット装置２０に対して保持状態情報を送信する（ステップＳ１１）。また、タブレット装置２０は、本体装置１０から送信された保持状態情報に基づいて、モード判定処理を実行する（ステップＳ２１）。このモード判定処理の詳細について、図４を参照して説明する。
【００４３】
図４は、本実施形態の無線通信装置１によるモード判定処理の流れの一例を示す流れ図である。
本体装置１０のタブレット保持検出部１０９は、タブレット装置２０が保持部１０１に保持されているか否かを検出する（ステップＳ１１１０）。すなわち、タブレット保持検出部１０９は、タブレット装置２０の保持状態を検出する。タブレット保持検出部１０９は、検出結果を示す保持状態情報を、本体制御部１０３に出力する。具体的には、タブレット装置２０が保持部１０１に保持されている場合には、タブレット保持検出部１０９は、タブレット装置２０が保持部１０１に保持されていることを示す保持状態情報を、本体制御部１０３に出力する。また、タブレット装置２０が保持部１０１に保持されていない場合には、タブレット保持検出部１０９は、タブレット装置２０が保持部１０１に保持されていないことを示す保持状態情報を、本体制御部１０３に出力する。
本体制御部１０３は、タブレット保持検出部１０９から取得した保持状態情報を、本体通信部１０４を介して、タブレット装置２０に送信し（ステップＳ１１２０）、処理を終了する。
【００４４】
タブレット装置２０のタブレット制御部２０３は、ステップＳ１１２０において送信された保持状態情報を、タブレット通信部２０４を介して受信する（ステップＳ２１１０）。タブレット制御部２０３は、ステップＳ２１１０において受信した保持状態情報に基づいて、装着モードか非装着モードかを判定する（ステップＳ２１２０）。具体的には、タブレット制御部２０３は、保持状態情報が、タブレット装置２０が保持部１０１に保持されていることを示す場合（ステップＳ２１２０；ＹＥＳ）には、装着モードであると判定し、処理をステップＳ２１３０に進める。また、タブレット制御部２０３は、保持状態情報が、タブレット装置２０が保持部１０１に保持されていないことを示す場合（ステップＳ２１２０；ＮＯ）には、非装着モードであると判定し、処理をステップＳ２１４０に進める。
【００４５】
装着モードの場合、タブレット制御部２０３は、表示部２０１に電話メニュー画像ＰＴｍを表示して（ステップＳ２１３０）、処理を終了する。
非装着モードの場合、タブレット制御部２０３は、表示部２０１にホーム画像ＰＨｍを表示して（ステップＳ２１４０）、処理を終了する。
表示部２０１に表示される電話メニュー画像ＰＴｍ及びホーム画像ＰＨｍの具体例について、図５を参照して説明する。
【００４６】
図５は、本実施形態の表示部２０１に表示される電話メニュー画像ＰＴｍ及びホーム画像ＰＨｍの具体例を示す模式図である。装着モードの場合、すなわち、本体装置１０にタブレット装置２０が装着されている場合、タブレット制御部２０３は、表示部２０１に電話メニュー画像ＰＴｍを表示する（図５（Ａ）を参照）。また、非装着モードの場合、すなわち、本体装置１０にタブレット装置２０が装着されていない場合、タブレット制御部２０３は、表示部２０１にホーム画像ＰＨｍを表示する（図５（Ｂ）を参照）。
【００４７】
ここで、電話メニュー画像ＰＴｍの具体例について、図５（Ａ）を参照して説明する。電話メニュー画像ＰＴｍには、電話メニュータイトル画像Ｐ１０と、日付時刻画像Ｐ１１と、電話アイコンＰ１２と、ＦＡＸアイコンＰ１３とが含まれる。
電話メニュータイトル画像Ｐ１０とは、表示部２０１が表示する画像が、電話メニュー画像ＰＴｍであることを示す画像である。日付時刻画像Ｐ１１とは、現在の日付及び時刻を示す画像である。
電話アイコンＰ１２とは、電話サブメニュー画像（不図示）を表示するためのアイコンである。ＦＡＸアイコンＰ１３とは、ＦＡＸサブメニュー画像（不図示）を表示するためのアイコンである。
【００４８】
また、電話メニュー画像ＰＴｍには、戻るアイコンＰ１７と、ホームアイコンＰ１８と、ヘルプアイコンＰ１９とが含まれる。
戻るアイコンＰ１７とは、表示部２０１が表示する画像を、過去に表示された画像（例えば、１枚前の画像）に戻して表示させるためのアイコンである。ホームアイコンＰ１８とは、表示部２０１が表示する画像を、ホーム画像（例えば、電話メニュー画像ＰＴｍ）に戻して表示させるためのアイコンである。
ヘルプアイコンＰ１９とは、無線通信装置１の操作方法をユーザに示すヘルプ画像を表示するためのアイコンである。
【００４９】
また、無線通信装置１が各種機能についての設定変更機能を備えている場合がある。この場合には、電話メニュー画像ＰＴｍには、設定アイコンＰ１６が含まれる。設定アイコンＰ１６とは、設定サブメニュー画像（不図示）を表示するためのアイコンである。
なお、図５（Ｂ）のホーム画像ＰＨｍの具体例については、図１を参照して既に説明しているため、ここでの説明は省略する。
【００５０】
この図５に示すように、無線通信装置１は、装着モードと、非装着モードとのいずれのモードであるかによって、表示部２０１に表示する画像を切り換える。
【００５１】
［音声通話］
図３に戻り、音声通話処理について説明する。音声通話処理とは、無線基地局３を介して、他の通信装置２との間において音声通話を行う処理である。この一例では、無線通信装置１が、本体装置１０の受話器１１０によって、音声通話機能を提供する場合について説明する。なお、タブレット装置２０が音検出部２０７及び音出力部２０８を備えている場合には、タブレット装置２０が音声通話機能を提供することができるが、この一例では、その説明を省略する。
【００５２】
タブレット装置２０は、無線通信モジュール２０５を介して無線基地局３から受信した音声情報を本体装置１０に転送する。また、タブレット装置２０は、本体装置１０から受信した音声情報を、無線通信モジュール２０５を介して無線基地局３に転送する。すなわち、タブレット装置２０は、無線基地局３と本体装置１０との間において、音声情報を相互に転送する（ステップＳ２２）。また、本体装置１０は、タブレット装置２０から転送された音声情報を受話器１１０のスピーカに出力する。本体装置１０は、受話器１１０のマイクが取得した音声情報を、タブレット装置２０に送信する（ステップＳ１２）。この音声通話処理の詳細について、図６を参照して説明する。
【００５３】
図６は、本実施形態の無線通信装置１による音声通話処理の流れの一例を示す流れ図である。ここでは、他の通信装置２が電話機であり、この電話機が発信した音声通話を、無線通信装置１が受信する場合を一例にして説明する。
他の通信装置２は、無線通信装置１に対して音声通話を発信する（ステップＳ０２１）。具体的には、他の通信装置２は、無線通信装置１の電話番号に対して音声通信を発信する。次に、無線基地局３は、無線通信装置１の無線通信モジュール２０５と通信を行い、他の通信装置２が音声通話を発信したことを通知する。なお、無線基地局３の動作は、既知の高速データ通信回線に対する動作と同様であるため、その説明を省略する。
【００５４】
タブレット装置２０のタブレット制御部２０３は、無線通信モジュール２０５を介して音声通話の着信を検出する（ステップＳ２２１０）。次に、タブレット制御部２０３は、音声通話の着信を示す情報を、本体装置１０の本体制御部１０３に送信する（ステップＳ２２２０）。なお、タブレット制御部２０３と、本体制御部１０３との間の送受信には、タブレット通信部２０４と、本体通信部１０４とが介在するが、以下ではその説明を省略する。
【００５５】
本体制御部１０３は、タブレット制御部２０３から音声通話の着信を示す情報を受信する（ステップＳ１２１０）と、電話着信音を出力する（ステップＳ１２２０）。この電話着信音は、本体記憶部１０６に予めその音源データが記憶されており、本体音出力部１０８のスピーカから出力される。
【００５６】
なお、ステップＳ２２１０において、タブレット制御部２０３は、音声通話の着信を示す情報を、（Ａ）規定回数（例えば、１回）だけ送信してもよく、（Ｂ）本体装置１０がオフフックを検出するまでの間、送信し続けてもよい。
上述の（Ａ）の場合には、本体制御部１０３は、着信応答を示す情報を受信するまでの間、着信音を出力し続ける。本体装置１０又はタブレット装置２０が着信応答をすると、タブレット制御部２０３は、着信応答を示す情報を本体制御部１０３に送信する。本体制御部１０３は、着信応答を示す情報を受信すると、着信音の出力を停止する。
また、上述の（Ｂ）の場合には、本体制御部１０３は、音声通話の着信を示す情報を受信している間、着信音を出力し続ける。本体装置１０又はタブレット装置２０が着信応答をすると、タブレット制御部２０３は、音声通話の着信を示す情報の送信を停止する。本体制御部１０３は、音声通話の着信を示す情報の受信をしなくなると、着信音の出力を停止する。
【００５７】
なお、本体記憶部１０６には、様々なメロディーの着信音、又は様々な音色の着信音の音源データが予め記憶されていてもよい。この場合、本体制御部１０３は、音声通信の発信元の種類に応じて、着信音の切り換えを行ってもよい。具体的には、本体制御部１０３は、予め登録されている発信元から着信した場合の着信音と、登録されていない発信元から着信した場合の着信音とを切り換えてもよい。一例として、タブレット記憶部２０６に電話帳情報が記憶されている場合には、タブレット制御部２０３は、発信元の電話番号が、タブレット記憶部２０６に記憶されている電話帳情報に登録されているか否かを判定する。タブレット制御部２０３は、発信元の電話番号が電話帳情報に登録されている場合には、第１の音源データを選択するように本体制御部１０３に指示する。また、タブレット制御部２０３は、発信元の電話番号が電話帳情報に登録されていない場合には、第２の音源データを選択するように本体制御部１０３に指示する。
【００５８】
本体制御部１０３は、受話器保持検出部１１１の検出結果、つまり、受話器１１０のフック状態を示す情報を、受話器保持検出部１１１から取得する（ステップＳ１２３０）。この受話器１１０のフック状態を示す情報は、オンフックか、オフフックかのいずれかを示す。フック状態を示す情報がオフフックを示す場合には、このフック状態を示す情報は、ユーザが通話するために、受話器１１０を本体装置１０から取り外したことを示している。つまり、フック状態を示す情報がオフフックを示す場合には、受話器１１０が持ち上げられたことを示している。
【００５９】
次に、本体制御部１０３は、ユーザが受話器１１０を持ち上げたか否かを判定する。すなわち、本体制御部１０３は、ステップＳ１２３０において取得したフック状態を示す情報が、オフフックを示すか否かを判定する（ステップＳ１２４０）。本体制御部１０３は、フック状態を示す情報が、オフフックを示す場合（ステップＳ１２４０；ＹＥＳ）には、処理をステップＳ１２５０に進める。一方、本体制御部１０３は、フック状態を示す情報が、オフフックを示さない場合、すなわちオンフックを示す場合（ステップＳ１２４０；ＮＯ）には、処理をステップＳ１２４０に戻す。
【００６０】
次に、本体制御部１０３は、ステップＳ１２２０において出力を開始した着信音を停止する（ステップＳ１２５０）。
なお、ステップＳ１２３０からステップＳ１２５０において、ユーザによる着信応答が本体装置１０において行われる場合について説明したが、この着信応答がタブレット装置２０において行われる場合がある。この場合には、タブレット制御部２０３は、ユーザが着信応答を行ったか否かを判定する。タブレット制御部２０３は、ユーザが着信応答を行ったと判定した場合には、着信応答が行われたことを示す情報を、本体制御部１０３に対して送信する。本体制御部１０３は、着信応答が行われたことを示す情報を受信すると、着信音を停止する。
【００６１】
次に、本体制御部１０３、ステップＳ１２３０において取得したフック状態を示す情報をタブレット制御部２０３に送信する（ステップＳ１２６０）。
【００６２】
タブレット制御部２０３は、ステップＳ１２６０において送信されたフック状態を示す情報を受信する（ステップＳ２２３０）。タブレット制御部２０３は、フック状態を示す情報を受信することにより、受話器１１０が持ち上げられたか否かを判定することができる。ここで、ステップＳ１２６０において送信されたフック状態を示す情報は、受話器１１０が持ち上げられたことを示している。すなわち、タブレット制御部２０３は、ステップＳ２２３０において、受話器１１０が持ち上げられたと判定する。受話器１１０のオフフック動作とは、他の装置２との通話接続の応答指示である。タブレット制御部２０３は、受話器１１０が持ち上げられたと判定すると、処理をステップＳ２２４０に進めて、他の通信装置２からの通話着信に対する応答を行う。
【００６３】
次に、タブレット制御部２０３と、他の通信装置２とは、相互に音声情報の送受信を開始する（ステップＳ２２４０、及びステップＳ０２２）。
【００６４】
次に、本体制御部１０３、タブレット制御部２０３、及び他の通信装置２との間において、音声通話処理が行われる。この音声通話処理の一例を、図６の破線によって囲まれた処理群（ステップＳＴｅｌ）によって示す。この音声通話処理には、無線通信装置１が受信側である場合の処理と、無線通信装置１が送信側である場合の処理とがある。
まず、無線通信装置１が受信側である場合の処理について説明する。他の通信装置２は、音声情報を送信する（ステップＳ０２３）。タブレット制御部２０３は、ステップＳ０２３において送信された音声情報を受信する（ステップＳ２０１）と、受信した音声情報を本体制御部１０３に対して転送する（ステップＳ２０２）。本体制御部１０３は、ステップＳ２０２において送信された音声情報を受信する（ステップＳ１０１）。
次に、無線通信装置１が送信側である場合の処理について説明する。本体制御部１０３は、音声情報を送信する（ステップＳ１０２）。タブレット制御部２０３は、ステップＳ１０２において送信された音声情報を受信する（ステップＳ２０３）と、受信した音声情報を他の通信装置２に対して転送する（ステップＳ２０４）。他の通信装置２は、ステップＳ２０４において送信された音声情報を受信する（ステップＳ０２４）。
【００６５】
この音声通話処理は、ユーザが受話器１１０を本体装置１０の受話器保持部１１２に置くまで継続される。本体制御部１０３は、受話器保持検出部１１１の検出結果、つまり、受話器１１０のフック状態を示す情報を取得し、オンフックか否かを判定する（ステップＳ１２７０）。本体制御部１０３は、オンフックであると判定した場合（ステップＳ１２７０；ＹＥＳ）には、処理をステップＳ１２８０に進める。また、本体制御部１０３は、オンフックでないと判定した場合（ステップＳ１２７０；ＮＯ）には、音声通話処理を継続する。
【００６６】
ステップＳ１２８０において、本体制御部１０３は、受話器１１０のフック状態を示す情報をタブレット制御部２０３に送信する。タブレット制御部２０３は、ステップＳ１２８０において送信されたフック状態を示す情報を受信する（ステップＳ２２５０）。ここで、ステップＳ１２８０において送信されたフック状態を示す情報は、受話器１１０が受話器保持部１１２に置かれたことを示している。すなわち、タブレット制御部２０３は、ステップＳ２２５０において、受話器１１０が置かれたと判定する。受話器１１０のオンフック動作とは、他の装置２との通話接続の終了指示である。タブレット制御部２０３は、受話器１１０が置かれたと判定すると、処理をステップＳ２２６０に進めて、他の通信装置２との通話接続を終了する。
【００６７】
タブレット制御部２０３と、他の通信装置２とは、音声情報の送受信を終了する（ステップＳ２２６０、及びステップＳ０２５）。
【００６８】
［データ通信処理］
図３に戻り、データ通信処理（ステップＳ２３）について説明する。データ通信処理とは、無線基地局３を介して、他の通信装置２との間においてデータ通信を行う処理である。この一例では、無線通信装置１が、タブレット装置２０の表示部２０１及び操作検出部２０２によって、データ通信機能を提供する場合について説明する。なお、本体装置１０が表示画面や操作検出部（いずれも不図示）を備えている場合には、本体装置１０がデータ通信機能を提供することができるが、この一例では、その説明を省略する。
このデータ通信処理の詳細について、図７を参照して説明する。
【００６９】
図７は、本実施形態の無線通信装置１によるデータ通信処理の流れの一例を示す流れ図である。ここでは、他の通信装置２がインターネットサーバである場合を一例にして説明する。
なお、この図７においては、破線によって囲まれた２つの処理群（ステップＳＴｅｌ、及びステップＳＤａｔ）を示す。これらの２つの処理群のうち、ステップＳＴｅｌとは、上述した音声通話処理である。ここでは、音声通話処理（ステップＳＴｅｌ）についての説明は、省略する。また、これらの２つの処理群のうち、ステップＳＤａｔとは、データ通信処理である。このデータ通信処理の一例について説明する。このデータ通信処理には、無線通信装置１が受信側である場合の処理と、無線通信装置１が送信側である場合の処理とがある。
【００７０】
まず、無線通信装置１が受信側である場合の処理について説明する。他の通信装置２は、データ通信情報を送信する（ステップＳ０２６）。タブレット制御部２０３は、ステップＳ０２６において送信されたデータ通信情報を受信する（ステップＳ２３１０）。
次に、無線通信装置１が送信側である場合の処理について説明する。タブレット制御部２０３は、データ通信情報を送信する（ステップＳ２３２０）。他の通信装置２は、ステップＳ２３２０において送信されたデータ通信情報を受信する（ステップＳ０２７）。
なお、他の通信装置２が、音声通話機能及びデータ通信機能の両方を備えている場合がある。この場合、無線通信装置１は、音声通話の相手方である他の通信装置２との間において、音声通話とデータ通信とを同時に行うことが可能である。この場合には、無線通信装置１は、音声通話の相手方の他の通信装置２の識別情報を利用して、他の通信装置２との間においてピア・トゥー・ピア（以下、Ｐ２Ｐとも記載する。）セッションを確立する。この識別情報とは、例えば、他の通信装置２のＩＰアドレスである。無線通信装置１と、他の通信装置２とは、音声通話及びデータ通信の両方が可能な高速データ通信回線を介して、情報を送受信している。無線通信装置１と、他の通信装置２とは、高速データ通信回線を介して音声通話を行いつつ、この高速データ通信回線を介したデータ通信によってＰ２Ｐセッションを確立する。
【００７１】
ここで、図７に示すように、無線通信装置１は、音声通話処理（ステップＳＴｅｌ）と、データ通信処理（ステップＳＤａｔ）とを同時に並行して実行する。すなわち、無線通信装置１は、受話器１１０による無線通信回線を介した音声通話中において、無線通信回線を介したデータ通信を行う。これにより、無線通信装置１は、本体装置１０において音声通話機能を提供しつつ、タブレット装置２０においてデータ通信機能を提供することができる。
【００７２】
ここまで説明したように、この一例においては、本体装置１０は、保持状態送信処理（ステップＳ１１）、音声通話処理（ステップＳ１２）、及びその他の処理を繰り返し実行する。また、この一例においては、タブレット装置２０は、モード判定処理（Ｓ２１）、音声通話処理（ステップＳ２２）、データ通信処理（ステップＳ２３）及びその他の処理を繰り返し実行する。なお、ここに示した処理順序は一例であり、処理順序が入れ替わっていても、無線通信装置１は、上述した機能を提供することができる。
【００７３】
［タブレット装置２０に表示される画像の例］
次に、図８から図１０を参照して、タブレット装置２０に表示される画像の例について説明する。
図８は、本実施形態の無線通信装置１の画面制御の流れの一例を示す流れ図である。なお、図８において破線によって囲まれた処理は、図６を参照して説明した処理と同一であるため、同一の符号を付してその説明を省略する。
【００７４】
タブレット装置２０のタブレット制御部２０３は、タブレット装置２０の保持状態情報に基づいて、装着モードであるか否かを判定する（ステップＳ２１０）。タブレット制御部２０３は、装着モードであると判定した場合（ステップＳ２１０；ＹＥＳ）には、処理をステップＳ２２０に進める。また、タブレット制御部２０３は、装着モードでないと判定した場合（ステップＳ２１０；ＮＯ）には、処理をステップＳ２５０に進める。
【００７５】
ステップＳ２２０及びステップＳ２５０において、タブレット制御部２０３は、受話器１１０のフック状態を示す情報に基づいて、受話器１１０がオフフック状態であるか否かを判定する。まず、ステップＳ２１０において装着モードと判定された場合、すなわち、ステップＳ２２０以降の処理について説明する。
タブレット制御部２０３は、受話器１１０のフック状態を示す情報に基づいて、受話器１１０がオフフック状態であるか否かを判定する（ステップＳ２２０）。タブレット制御部２０３は、受話器１１０がオフフック状態でないと判定した場合（ステップＳ２２０；ＮＯ）には、処理をステップＳ２３０に進める。つまり、このステップＳ２３０とは、装着モードかつオンフック状態における処理である。タブレット制御部２０３は、電話メニュー画像ＰＴｍを表示部２０１に表示する（ステップＳ２３０）。表示部２０１がバックライト付きの液晶ディスプレイを備える場合がある。この場合、電話メニュー画像ＰＴｍを表示部２０１に表示することには、液晶ディスプレイに電話メニュー画像ＰＴｍが表示されている状態において、バックライトを点灯させることも含まれる。具体的には、タブレット制御部２０３は、ステップＳ２３０において、バックライトの点灯及び消灯を制御する。より具体的には、タブレット制御部２０３は、まず、バックライトを消した状態にして、電話メニュー画像ＰＴｍを液晶ディスプレイに表示する。次に、バックライトの点灯条件が成立した場合、タブレット制御部２０３は、バックライトを点灯させる。ここで、バックライトの点灯条件には、（Ａ）ユーザが無線通信装置１に対して何らかの操作を行った場合に点灯させることと、（Ｂ）ユーザが無線通信装置１に接近した場合に点灯させることとが含まれる。上述の（Ａ）において、操作検出部２０２がユーザの操作を検出した場合に、バックライトを点灯させるとしてもよい。また、上述の（Ｂ）において、本体装置１０又はタブレット装置２０のいずれかが接近センサーを備えている場合には、この接近センサーがユーザの接近を検出した場合に、バックライトを点灯させるとしてもよい。
【００７６】
また、タブレット制御部２０３は、受話器１１０がオフフック状態であると判定した場合（ステップＳ２２０；ＹＥＳ）には、処理をステップＳ２４０に進める。つまり、このステップＳ２４０とは、装着モードかつオフフック状態における処理である。タブレット制御部２０３は、電話帳画像ＰＴｄを表示部２０１に表示する（ステップＳ２３０）。装着モードにおいて、表示部２０１に表示される画像の一例について、図９を参照して説明する。
【００７７】
図９は、本実施形態の表示部２０１に装着モードにおいて表示される画像の一例を示す模式図である。
装着モードかつオンフック状態である場合（図９（Ａ）の場合）には、タブレット制御部２０３は、電話メニュー画像ＰＴｍを表示部２０１に表示する。この電話メニュー画像ＰＴｍについては、図５を参照して既に説明したため、その説明を省略する。
また、装着モードかつオフフック状態である場合（図９（Ｂ）の場合）には、タブレット制御部２０３は、電話帳画像ＰＴｄを表示部２０１に表示する。この電話帳画像ＰＴｄには、機能アイコン（アイコンＰ２０〜アイコンＰ２３）と、通信相手のユーザ選択アイコンＰ２４とが含まれる。機能アイコンとは、相手選択機能を選択するためのアイコンである。一例として、この無線通信装置１は、４種類の相手選択機能を備えている。この一例の場合、タブレット記憶部２０６には、電話帳データが予め記憶されている。この電話帳データには、登録済みユーザの氏名、ふりがな、電話番号、通信回数、最後に通信した日時などが含まれる。
【００７８】
また、無線通信装置１は、音声認識機能を備えていてもよい。この場合、無線通信装置１は、上述の図９（Ａ）に示すオンフック状態から、図９（Ｂ）に示すオフフック状態に変化した場合に、音声認識モードに移行する。また、無線通信装置１は、この音声認識モードにおいて、受話器１１０が取得する音声を音声認識することにより、電話帳データの登録済みユーザを検索する。無線通信装置１は、電話帳データから検索された登録済みユーザを表示部２０１に表示する。この登録済みユーザを表示する際に、無線通信装置１は、表示しているユーザに電話をかけるか否かをユーザに問い合わせるアイコン画像を、表示部２０１に表示してもよい。
また、この音声認識機能の起動条件には、上述したオフフック状態への変化だけでなく、音声認識機能のアイコン画像に対する操作が含まれていてもよい。
【００７９】
[相手選択機能の例（その１）]
無線通信装置１が備える相手選択機能のうち、通信相手として選択される頻度が高いユーザを表示する機能について説明する。ここで、アイコンＰ２０とは、通信相手として選択される頻度が高いユーザを表示するためのアイコンである。タブレット制御部２０３は、タブレット記憶部２０６から電話帳データを読み出して、通信回数の多い順に登録済みユーザをソートする。アイコンＰ２０がタップ操作されると、タブレット制御部２０３は、ソートされた登録済みユーザのうち、通信回数の多い上位数名をユーザ選択アイコンＰ２４として表示する。この図９（Ｂ）に示す具体例の場合、電話帳データに含まれる登録済みユーザには、Ａさん、Ｂさん、Ｃさんが含まれる。また、この具体例の場合、Ａさん、Ｂさん、Ｃさんの順に通信回数が多い。タブレット制御部２０３は、Ａさんを選択するための画像Ｐ２４−１と、Ｂさんを選択するための画像Ｐ２４−２と、Ｃさんを選択するための画像Ｐ２４−３とを表示する。
なお、タブレット制御部２０３は、通信回数を曜日や時間帯（例えば、朝、昼、夜など。）に応じて計数してもよい。この場合、タブレット制御部２０３は、アイコンＰ２０がタップ操作された曜日や時間帯に応じて、通信回数の多い順に登録済みユーザをソートする。このように構成することにより、タブレット制御部２０３は、ユーザによって選択されやすい相手を、より適切に表示することができる。
【００８０】
[相手選択機能の例（その２）]
無線通信装置１が備える相手選択機能のうち、電話帳に登録されているユーザをふりがな順に表示する機能について説明する。ここで、アイコンＰ２１とは、ふりがな順にユーザを表示するためのアイコンである。タブレット制御部２０３は、タブレット記憶部２０６から電話帳データを読み出して、ふりがな順に登録済みユーザをソートする。アイコンＰ２１がタップ操作されると、タブレット制御部２０３は、ソートされた登録済みユーザのうち、数名をユーザ選択アイコンＰ２４として表示する。
【００８１】
[相手選択機能の例（その３）]
無線通信装置１が備える相手選択機能のうち、通信履歴に基づいてユーザを表示する機能について説明する。ここで、アイコンＰ２２とは、通信履歴に基づいてユーザを表示するためのアイコンである。タブレット制御部２０３は、タブレット記憶部２０６から電話帳データを読み出して、最後に通信した日時順に登録済みユーザをソートする。アイコンＰ２２がタップ操作されると、タブレット制御部２０３は、ソートされた登録済みユーザのうち、数名をユーザ選択アイコンＰ２４として表示する。
なお、上述のアイコンＰ２２が、通信履歴のうち、発信履歴と、着信履歴とを分けて、ユーザを表示するアイコンであってもよい。
【００８２】
[相手選択機能の例（その４）]
無線通信装置１が備える相手選択機能のうち、ダイヤル入力機能について説明する。ここで、アイコンＰ２３とは、ダイヤル入力機能を選択するためのアイコンである。アイコンＰ２２がタップ操作されると、タブレット制御部２０３は、ダイヤル入力用のテンキー画像（不図示）を表示する。
【００８３】
図８に戻り、ステップＳ２１０において非装着モードと判定された場合、すなわち、ステップＳ２５０以降の処理について説明する。
タブレット制御部２０３は、受話器１１０のフック状態を示す情報に基づいて、受話器１１０がオフフック状態であるか否かを判定する（ステップＳ２５０）。タブレット制御部２０３は、受話器１１０がオフフック状態でないと判定した場合（ステップＳ２５０；ＮＯ）には、処理をステップＳ２６０に進める。つまり、このステップＳ２６０とは、非装着モードかつオンフック状態における処理である。タブレット制御部２０３は、ホーム画像ＰＨｍを表示部２０１に表示する（ステップＳ２６０）。
また、タブレット制御部２０３は、受話器１１０がオフフック状態であると判定した場合（ステップＳ２５０；ＹＥＳ）には、処理をステップＳ２７０に進める。つまり、このステップＳ２７０とは、非装着モードかつオフフック状態における処理である。タブレット制御部２０３は、ホーム画像ＰＨｍに重ねて、通話中画像ＰＣｌを表示部２０１に表示する（ステップＳ２７０）。非装着モードにおいて、表示部２０１に表示される画像の一例について、図１０を参照して説明する。
【００８４】
図１０は、本実施形態の表示部２０１に非装着モードにおいて表示される画像の一例を示す模式図である。非装着モードかつオンフック状態である場合（図１０（Ａ）の場合）には、タブレット制御部２０３は、ホーム画像ＰＨｍを表示部２０１に表示する。このホーム画像ＰＨｍについては、図１を参照して既に説明したため、その説明を省略する。
また、非装着モードかつオフフック状態である場合（図１０（Ｂ）の場合）には、タブレット制御部２０３は、ホーム画像ＰＨｍに重ねて、通話中画像ＰＣｌを表示部２０１に表示する。この通話中画像ＰＣｌとは、本体装置１０の受話器１１０によって音声通話中であることを示す画像である。
【００８５】
上述したように、本体装置１０が音声通話中であっても、タブレット装置２０はデータ通信を行うことができる。このため、非装着モードにおいては、本体装置１０とタブレット装置２０とがそれぞれ異なるユーザに利用されている場合がある。ここで、本体装置１０と、タブレット装置２０との間の通信可能距離には限界がある。このため、本体装置１０と、タブレット装置２０とが通信可能距離を超えて利用されると、本体装置１０とタブレット装置２０との間の通信が途絶する場合がある。
ここで、無線基地局３と通信を行う無線通信モジュール２０５が、本体装置１０ではなく、タブレット装置２０に備えられている場合について説明する。この場合、本体装置１０が音声通話中に、タブレット装置２０が移動されて通信可能距離を超えると、本体装置１０の音声通話が途絶する場合がある。したがって、無線通信装置１は、タブレット装置２０を使用するユーザに対して、タブレット装置２０と本体装置１０とが通信中であることを通知することが望ましい。
本実施形態の無線通信装置１は、タブレット装置２０と本体装置１０とが通信中である場合に、タブレット装置２０と本体装置１０とが通信中であることを通知する画像を、表示部２０１に表示する。これにより、無線通信装置１は、タブレット装置２０を使用するユーザに対して、タブレット装置２０と本体装置１０とが通信中であることを通知する。具体的には、上述したように、本体装置１０が音声通話中である場合、すなわち、タブレット装置２０と本体装置１０とが通信中である場合に、表示部２０１に通話中画像ＰＣｌを表示する。
また、無線通信装置１は、タブレット装置２０と本体装置１０との間の通信が開始されたことを通知する画像、及びタブレット装置２０と本体装置１０との間の通信が終了されたことを通知する画像を、表示部２０１に表示してもよい。
このように構成することにより、無線通信装置１は、本体装置１０の使い勝手の低下を抑止しつつ、タブレット装置２０によって様々な機能を提供することができる。
【００８６】
なお、上述の説明において、本体通信部１０４とタブレット通信部２０４との間が無線通信によって接続されている場合について説明したが、これに限られない。本体通信部１０４とタブレット通信部２０４との間が有線通信によって接続される構成であってもよい。また、この構成の場合、本体装置１０と、タブレット装置２０とがいずれも通信用の電気接点を備えており、タブレット装置２０が本体装置１０の保持部１０１に保持されている場合にのみ、この電気接点どうしが接触するように構成されていてもよい。このように構成することにより、無線通信装置１は、タブレット装置２０が本体装置１０に装着されている場合には、有線通信によって通信する。また、無線通信装置１は、タブレット装置２０が本体装置１０に装着されていない場合には、無線通信によって通信する。すなわち、このように構成することにより、無線通信装置１は、タブレット装置２０が本体装置１０に装着されているか否かによって、無線通信と有線通信とを切り換えることができる。ここで、有線通信は、無線通信に比べて高い速度によって通信可能である場合がある。上述した構成にすることにより、無線通信装置１は、タブレット装置２０が本体装置１０に装着されているか否かにより、本体装置１０とタブレット装置２０との間の通信速度を切り換えることができる。
【００８７】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【００８８】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００８９】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００９０】
１…無線通信装置、１０…本体装置、１０１…保持部、１０３…本体制御部、１０４…本体通信部、１１０…受話器、２０…タブレット装置、２０１…表示部、２０２…操作検出部、２０３…タブレット制御部、２０４…タブレット通信部、２０５…無線通信モジュール
【図１】
2016178509.tif 000003
【図２】
2016178509.tif 000004
【図３】
2016178509.tif 000005
【図４】
2016178509.tif 000006
【図５】
2016178509.tif 000007
【図６】
2016178509.tif 000008
【図７】
2016178509.tif 000009
【図８】
2016178509.tif 000010
【図９】
2016178509.tif 000011
【図１０】
2016178509.tif 000012